(57)【要約】 【課題】 従来の目視装置は、1次側電源を装置電源と共有しており大変危険であった。また、複数の部品構成で、制作時及び保守時が高コストであった。【解決手段】電流検知センサを使用する事で1次側電源と2次側電源を切り離し電気的及び人体的に安全な構造とした。また、定電圧ダイオードの特性を利用する事で部品点数を削減し低コストで提供する事ができる。【選択図】  図２
2011158350.tif 000002
【特許請求の範囲】
【請求項１】
検出対象である1次側交流電流に比例する2次側電流、電圧を出力する電流検知センサと前記電流検知センサの両出力端子間に接続された第1の発光ダイオードと前記電流センサの両出力端子間に前記第1の発光ダイオードを並列に接続された第2の発光ダイオード及び定電圧ダイオードの直列回路とを基板上に備え、前記第2の発光ダイオードは、前記第1の発光ダイオードと逆方向に接続されており、前記定電圧ダイオードは、前記第2の
発光ダイオードに対し逆方向に接続している事を特徴とする安全な電流検知による動作状態目視簡易装置。
【発明の詳細な説明】
【技術分野】
【０００１】
この発明は、動作状態自己監視機能を持たない電源機器の故障時における状態を使用電流値の変動により発光ダイオードにて目視出来る装置に関する。
【背景技術】
【０００２】
従来、動作状態を目視出来る簡易装置として発光ダイオードを使用した物がある    （例えば、図３参照）
【０００３】
また、定電圧ダイオードを検出回路に使用した物もある（例えば、特許文献１参照）
【０００４】
以下、図3により従来の動作状態目視簡易装置について説明する。図において入力側より交流電源が進入し出力側へ流れていく。
【０００５】
電源を投入すると進入した電流によりLED（G）が点灯する。
【０００６】
NPN型トランジスタは、出力側に接続された負荷機器の電流値が想定値に達した場合にLED（R）を点灯させる為に設置している。
【０００７】
ニクロム線は、過負荷時に電源を遮断する為に配置しているが危険である。
【０００８】
特許文献１による回路は、定電圧ダイオードを通常使用される順方向に配置し過電流制御として用い多数の部品で構成されている。
【先行技術文献】
【特許文献】
【０００９】
【特許文献１】特開平１０−６８７４７
【発明の概要】
【発明が解決しようとする課題】
【００１０】
しかしながら上記に述べた従来の回路では、入力側から進入した交流電源と目視に必要な発光ダイオード点灯回路電源を同一としている為、保護装置を装備する必要があり、ニクロム線で保護ヒューズ機能を持たせていたが発熱し電気的かつ人体にも大変危険である。また回路を構成する部品も多数であるため高コストで保守が難しい。
【００１１】
本発明は、このような従来の構成が有していた問題を解決しようとするものであり小型、低コストで安全な電流検知による動作状態目視簡易装置を提供する。
【課題を解決するための手段】
【００１２】
請求項１の発明は、上記目的を達成するために検出対象である1次側交流電流に比例
する2次側電流、電圧を出力する電流検知センサと前記電流検知センサの両出力端子間に
接続された第1の発光ダイオードと前記電流センサの両出力端子間に前記第1の発光ダイオードを並列に接続された第2の発光ダイオード及び定電圧ダイオードの直列回路を基板
上に備え、前記第2の発光ダイオードは、前記第1の発光ダイオードと逆方向に接続さ
れており、前記定電圧ダイオードは、前記第2の発光ダイオードに対し逆方向に接続し
ている事を特徴とする安全な電流検知による動作状態目視簡易装置である。
【発明の効果】
【００１３】
請求項1の発明は、負荷機器の一部が故障した場合の電流値変化を電流検知センサで
検知し、その電流検知センサが生成する2次側電流、電圧で目視回路を動作させる事で主電源と切り離され電気的かつ人体に安全な物が提供できる。
【００１４】
また、構成部品を最小限にするためトランジスタやダイオードを構成部品から除外し定電圧ダイオードを逆接続させることで前記複数部品の性能と同等になり低コストである。
【図面の簡単な説明】
【００１５】
【図１】本発明の回路図である。
【図２】本発明の外形図である。
【図３】従来装置の回路図である。
【発明を実施するための形態】
【００１６】
以下、本発明の実施の形態を図１に基づいて説明する。
【００１７】
１は、電流検知センサで筒内に交流入力側に接続された1次側通過電流が通過する電線が通り、1次側交流入力に比例する2次側電流、電圧を出力する。
【００１８】
この時電流検知センサに通す電線は、切断する必要が無く片側の電線を通過させるのみで加工する必要が無い為、感電や発熱が無く電気的かつ人体的に安全である。図３の従来製品は、ダイオードを2個使用し整流回路をブリッジにて構成し交流電源を使用していた為、安全面で問題がある。
【００１９】
２は、第1の発光ダイオードで電流検知センサの２つの出力端子に接続され負荷側に流れる電流値に応じて出力される電流検知センサの電流により点灯する。この事により負荷機器へ電源が供給されている事が目視できる。
【００２０】
３は、第2の発光ダイオードで電流センサの2つの出力端子に接続された第1の発光ダイオードに並列で尚且つ第1の発光ダイオードに対して逆接続されている。これは、図３のRのように従来使用されていた抵抗の役割を逆接続された第2の発光ダイオードが行うことにより、抵抗を削除する事が出来る利点がある。
【００２１】
４は、定電圧ダイオードで第2の発光ダイオードと直列に逆接続されている。図３の従来製品は、トランジスタを使用し電流値の増幅によるLED（R）の点灯を制限しているが、本発明では、定電圧ダイオードの降伏電圧特性を利用し第2の発光ダイオードの点灯制御を行っている。定電圧ダイオードの従来の使用方法は、正方向に接続し任意の電圧を超えた場合、電流を遮断する使用法が主であり複雑な回路の保護機能構成素子として使用される（例えば参考文献１  参照）。
【００２２】
５は、部品を配置した基盤であり６は、１の電流検知センサと回路部を接続する為のリード線でコネクタによって接続されてある。
【００２３】
以下、上記構成の動作を説明する。本発明は、安全にするために検出回路電源は、電流検知センサによる2次電流、電圧を利用している。また、回路構成を簡略にし、低コスト化の為に定電圧ダイオードの降伏電圧特性を利用したもので、３の第2の発光ダイオードに対して逆接続する事によりその機能を持たせている。
【００２４】
図1において、負荷出力側の使用時に電流検知センサを通過する定格電流値により電流検知センサが発生する2次電流、電圧は、第1の発光ダイオードと第2の発光ダイオードを点灯させる。
【００２５】
この時の負荷出力側の定格電流値は、定電圧ダイオードの降伏電圧特性値以上である。負荷出力側に何らかの故障が発生し、負荷出力側の電流値が定格を下回った場合１の電流検知センサで生成される2次電流、電圧値も変化してくる。
【００２６】
４の逆接続された定電圧ダイオードは、降伏電圧に達していない為、電流を遮断し３の第2の発光ダイオードは、消灯するが、２の第1の発光ダイオードは、点灯し続ける。
【００２７】
以上の動作により出力側に接続された複数機器の一部の故障が簡単に目視できる。
【００２８】
なお、部品を配置した基板のリード線と電流検知センサは、コネクタで接続されている為、保守時は容易に切り離す事ができる。
【００２９】
部品点数を少数にし本発明全体を小型した事で、プラスチックケースにも収納する事ができる。 
【符号の説明】
【００３０】
１  電流検知センサ
２  第1の発光ダイオード
３  第2の発光ダイオード
４  定電圧ダイオード
５  基盤
６  リード線
【図１】
2011158350.tif 000003
【図２】
2011158350.tif 000004
【図３】
2011158350.tif 000005